(57)【要約】【課題】音声の入出力機能を備えたオプション装置を着脱した場合でも、ユーザが改めて音声の入出力方法を設定し直す必要がなく、使い勝手のよい移動無線端末装置を提供する。【解決手段】制御部１６０は、カーキット２００が接続される前にハンズフリー通話機能が設定されていたか否かを示すハンズフリー設定データを記憶部１５０に保存しておき、カーキット２００が取り外された場合には、上記ハンズフリー設定データに基づいて、カーキット２００が接続される前の運用状態に戻すようにしたものである。【選択図】　　図１
2004096271.tif 000002
【特許請求の範囲】
【請求項１】
通信網に接続可能な基地局と無線通信する移動無線端末装置において、
音声を拡声出力するスピーカと、
音声を入力するマイクロホンと、
前記スピーカから出力される音量を可変する第１の増幅手段と、
前記マイクロホンから入力される音声信号のレベルを可変する第２の増幅手段と、
前記第１の増幅手段の利得と前記第２の増幅手段の利得をそれぞれ所定の値に設定するための第１の利得情報と、前記第１の増幅手段の利得と前記第２の増幅手段の利得をそれぞれ前記第１の利得情報と異なる値に設定するための第２の利得情報とを記憶する第１の記憶手段と、
ユーザから、前記第１の利得情報と前記第２の利得情報の内、いずれか一方を指定する指示を受け付ける入力手段と、
この入力手段を通じて受け付けた指示を記憶する第２の記憶手段と、
この第２の記憶手段が記憶する指示に対応する利得情報を前記第１の記憶手段から読み出し、この読み出した利得情報に基づいて前記第１の増幅手段と前記第２の増幅手段の利得を制御する利得制御手段と、
音声の入出力が可能な外部機器を接続可能な接続手段と、
この接続手段に前記外部機器が接続されたか否かを検出する検出手段とを備え、
この検出手段の検出結果に応じて、前記スピーカと前記マイクロホンを通じた音声の入出力と、前記外部機器を通じた音声の入出力とを切り換える切換制御手段とを備え、
前記利得制御手段は、前記検出手段の検出結果が、前記外部機器が接続された状態にあることを示すものから取り外された状態を示すものに変化した場合に、前記第２の記憶手段が記憶する指示に対応する利得情報を前記第１の記憶手段から読み出し、この読み出した利得情報に基づいて前記第１の増幅手段と前記第２の増幅手段の利得を制御することを特徴とする移動無線端末装置。
【発明の詳細な説明】
【０００１】
【発明の属する技術分野】
この発明は、携帯電話システムなどの移動通信システムで用いられる移動無線端末装置に関する。
【０００２】
【従来の技術】
近時、携帯電話システムなどの移動通信システムで用いられる移動無線端末装置は、マイクロホンを口に、そしてスピーカを耳に近づけて使用する。このような通常の使用方法以外に、ハンズフリー通話機能を選択的に利用できるものがある。
【０００３】
このハンズフリー通話機能は、マイクロホンの感度を上げるとともに、スピーカからの拡声音量を上げることで、ユーザは移動無線端末装置を手に持たなくても、当該移動無線端末装置を近傍に置いておくだけで、通話が可能となる機能である。この機能を備えることにより、ユーザは何らかの作業を行いながら通話が可能になった。
【０００４】
また、近時、移動無線端末装置には、通話相手の映像を観ながら通話を行うテレビ電話機能や、ゲーム機能を備えるものがある。このような機能を利用しながら通話する場合には、顔に近づけることなく、手に持って通話することになるため、このような機能を備える移動無線端末装置にあっては、上記ハンズフリー通話機能は有用なものとなる。
【０００５】
ところで、移動通信電話装置は、音声の入出力機能を備えるオプション装置（例えば、カーキットやイヤホンマイク）を接続した場合、オプション装置を用いた設定に自動的に切り替えて、上記オプション装置を用いて通話がなされる。
【０００６】
例えば、ハンズフリー通話機能を利用して通話を行っている時に、カーキットに接続した場合、カーキットに内蔵されるマイクロホンとスピーカを使用して通話を設定に自動的に切替えられる。
【０００７】
そしてその後、カーキットを用いて通している際に、カーキットから移動無線端末装置を取り外すと、マイクロホンの感度とスピーカの拡声音量は、通常の通話方法に準じた設定に切り換えられる。
【０００８】
しかしながら、ユーザがハンズフリー通話機能を多用する者の場合、オプション装置を移動無線端末装置から取り外しても、ハンズフリー通話機能を継続して利用することが多いと考えられる。
【０００９】
このため、ハンズフリー通話機能を多用するユーザは、オプション装置を利用して通話し、その後、オプション装置を取り外して通話を継続する場合には、改めて、移動無線端末装置にハンズフリー通話機能を利用する設定を行う必要があり、使い勝手が悪いという問題がある。
【００１０】
また逆に、ユーザが通常の通話方法を多用する者の場合には、オプション装置を移動無線端末装置から取り外した場合には、ハンズフリー通話機能ではなく、通常の方法による通話を好むと考えられる。
【００１１】
【発明が解決しようとする課題】
従来の移動無線端末装置では、音声の入出力機能を備えたオプション装置を着脱した場合、ユーザは音声の入出力レベルを改めて設定し直す必要があり、使い勝手が悪いという問題があった。
【００１２】
この発明は上記の問題を解決すべくなされたもので、音声の入出力機能を備えたオプション装置を着脱した場合でも、ユーザが改めて音声の入出力レベルを設定し直す必要がなく、使い勝手のよい移動無線端末装置を提供することを目的とする。
【００１３】
【課題を解決するための手段】
上記の目的を達成するために、この発明は、通信網に接続可能な基地局と無線通信する移動無線端末装置において、音声を拡声出力するスピーカと、音声を入力するマイクロホンと、スピーカから出力される音量を可変する第１の増幅手段と、マイクロホンから入力される音声信号のレベルを可変する第２の増幅手段と、第１の増幅手段の利得と第２の増幅手段の利得をそれぞれ所定の値に設定するための第１の利得情報と、第１の増幅手段の利得と第２の増幅手段の利得をそれぞれ第１の利得情報と異なる値に設定するための第２の利得情報とを記憶する第１の記憶手段と、ユーザから、第１の利得情報と第２の利得情報の内、いずれか一方を指定する指示を受け付ける入力手段と、この入力手段を通じて受け付けた指示を記憶する第２の記憶手段と、この第２の記憶手段が記憶する指示に対応する利得情報を第１の記憶手段から読み出し、この読み出した利得情報に基づいて第１の増幅手段と第２の増幅手段の利得を制御する利得制御手段と、音声の入出力が可能な外部機器を接続可能な接続手段と、この接続手段に外部機器が接続されたか否かを検出する検出手段とを備え、この検出手段の検出結果に応じて、スピーカとマイクロホンを通じた音声の入出力と、外部機器を通じた音声の入出力とを切り換える切換制御手段とを備え、利得制御手段は、検出手段の検出結果が、外部機器が接続された状態にあることを示すものから取り外された状態を示すものに変化した場合に、第２の記憶手段が記憶する指示に対応する利得情報を第１の記憶手段から読み出し、この読み出した利得情報に基づいて第１の増幅手段と第２の増幅手段の利得を制御するように構成した。
【００１４】
上記構成の移動無線端末装置では、検出手段の検出結果が、外部機器が接続された状態にあることを示すものから取り外された状態を示すものに変化した場合に、第２の記憶手段が記憶する指示に対応する利得情報を第１の記憶手段から読み出し、この読み出した利得情報に基づいて第１の増幅手段と第２の増幅手段の利得を制御するようにしている。
【００１５】
すなわち、上記構成の移動無線端末装置では、外部機器が取り外された場合に、外部機器が接続される前に設定されていた利得情報に基づいて、第１の増幅手段と第２の増幅手段の利得が制御するようにしている。
【００１６】
したがって、上記構成の移動無線端末装置によれば、音声の入出力機能を備えたオプション装置を着脱した場合でも、ユーザが改めて音声の入出力レベルを設定し直す必要がなく、使い勝手のよい移動無線端末装置を提供することができる。
【００１７】
【発明の実施の形態】
以下、図面を参照して、この発明の一実施形態について説明する。
図１は、この発明の一実施形態に係わる移動無線端末装置の構成を示すものである。
【００１８】
この図において、２００はカーキットを示しており、ＢＳは移動通信網に収容される基地局装置を示している。そして、残る部分が移動無線端末装置である。
【００１９】
移動無線端末装置は、アンテナ１０１、受信部（ＲＸ）１０２、音声処理部１０３、Ｄ／Ａコンバータ（Ｄ／Ａ）１０４、アンプ１０５、スピーカ１０６、マイクロホン１０７、アンプ１０８、バンドパスフィルタ１０９、切換スイッチ１１０ａ，１１０ｂ、Ａ／Ｄコンバータ（Ａ／Ｄ）１１１、送信部（ＴＸ）１１２、外部インターフェイス１２０、着信報知部１３０、ユーザインターフェイス部１４０、記憶部１５０および制御部１６０を備える。
【００２０】
基地局装置ＢＳは、移動通信システムの移動通信網に収容されるもので、当該移動無線端末装置と上記移動通信網を接続するものである。
アンテナ１０１は、基地局装置ＢＳから送られる無線信号を受信し、これを受信部１０２に出力する。
【００２１】
受信部１０２は、受信した無線信号をダウンコンバートした後、復調し、これによって得た復調信号を音声処理部１０３に出力する。
音声処理部１０３は、上記復調信号に対して所定の復号処理などを施して、通信相手から送られた音声データを抽出する。
【００２２】
Ｄ／Ａコンバータ１０４は、上記音声データをアナログ音声信号に変換し、切換スイッチ１１０ａに出力する。
【００２３】
切換スイッチ１１０ａは、第１の出力端子と第２の出力端子を備え、第１の出力端子には、アンプ１０５が接続され、一方、第２の出力端子には、外部インターフェイス１２０を通じてカーキット２００が接続される。
【００２４】
そして、切換スイッチ１１０ａは、後述する制御部１６０により切換制御され、Ｄ／Ａコンバータ１０４から入力されるアナログ音声信号を、第１の出力端子と第２の出力端子のうち、いずれかに選択的に出力する。
【００２５】
アンプ１０５は、切換スイッチ１１０ａを通じて入力されるアナログ音声信号を増幅し、スピーカ１０６より拡声出力する。なお、アンプ１０５の利得は、制御部１６０によって制御される。
【００２６】
マイクロホン１０７は、ユーザの送話音声を入力するものである。これより入力された送話音声信号は、アンプ１０８にて増幅された後、バンドパスフィルタ１０９に入力される。なお、アンプ１０８の利得は、制御部１６０によって制御される。
【００２７】
バンドパスフィルタ１０９は、上記マイクロホン１０７などの特性を考慮したフィルタ特性を有するものであって、マイクロホン１０７を通じて入力された送話音声信号に所定の帯域制限を施し、切換スイッチ１１０ｂの第１の入力端子に出力する。
【００２８】
切換スイッチ１１０ｂは、第１の入力端子と第２の入力端子を備え、第１の入力端子にはバンドパスフィルタ１０９を介した送話音声信号が入力され、一方、第２の入力端子には外部インターフェイス１２０を通じて後述するカーキット２００から送話音声信号が入力される。
【００２９】
そして、切換スイッチ１１０ｂは、後述する制御部１６０により切換制御され、第１の入力端子と第２の入力端子のうち、いずれか一方をＡ／Ｄコンバータ１１１の入力端に接続する。
【００３０】
Ａ／Ｄコンバータ１１１は、切換スイッチ１１０ｂを介して送話音声信号が入力され、この信号をディジタルの送話音声データに変換し、音声処理部１０３に出力する。
【００３１】
音声処理部１０３は、上記送話音声データに所定の符号化処理を施し、この処理によって得られた送信データを送信部１１２に出力する。
【００３２】
送信部１１２は、音声処理部１０３から入力される送信データを用いて、搬送波を変調し、所定の無線周波までアップコンバートした後、高周波増幅し、アンテナ１０１を通じて、基地局装置ＢＳに向けて送信する。
【００３３】
外部インターフェイス１２０は、カーキット２００などのオプション装置を物理的かつ電気的に接続する外部インターフェイスであって、検出器１２１を備えている。
【００３４】
検出器１２１は、外部インターフェイス１２０に接続されるオプション装置を判別し、オプション機器が接続されているか否かの情報、および接続されるオプション装置の種別を制御部１６０に通知する。
【００３５】
着信報知部１３０は、当該移動無線端末装置宛てに着信があった場合に、制御部１６０の制御により稼働し、ユーザに対して着信を報知するもので、可聴音を発して報知を行なう発音体１３１と、発光により報知を行なう発光体１３２と、例えば偏心モータなどにより振動を発生して報知を行なう振動体１３３とからなる。
【００３６】
ユーザインターフェイス部１４０は、表示部１４１およびキー入力部１４２とからなる。表示部１４１は、例えばＬＣＤ（Ｌｉｑｕｉｄ　Ｃｒｙｓｔａｌ　Ｄｉｓｐｌａｙ）やＥＬ（Ｅｌｅｃｔｒｏ　Ｌｕｍｉｎｅｓｃｅｎｃｅ）などからなりユーザに対して自機の状態（発信／着信、バッテリ残量、受信強度）や記憶部１５０から読み出したダイヤルデータなどを視覚的に示すためのものである。
【００３７】
キー入力部１４２は、ダイヤル番号入力を行なうためのテンキーなど発着信に関わる通常の通話機能を実施するためのキーの他、着信報知方法（可聴音／発光／バイブレータ／報知なし）の切り換えなどの各種設定や種々の機能を利用するためのキーを備えたものである。
【００３８】
記憶部１５０は、例えばＲＯＭやＲＡＭなどの半導体メモリを記憶媒体としたもので、この記憶媒体には、名前と電話番号などを対応づけた電話帳データなどを記憶する。
【００３９】
この他に、記憶部１５０は、アンプ１０５に設定される利得を示す音量設定データ、アンプ１０８に設定される利得を示すマイク感度データ、ハンズフリー通話機能を実施する場合にアンプ１０５，１０８に設定すべき利得を示すハンズフリー利得データ、ハンズフリー通話機能が設定されているか否かを示すハンズフリー設定データを記憶する。これらの情報は制御部１６０によって読み書きされる。
【００４０】
制御部１６０は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するものである。
【００４１】
制御部１６０の制御機能の一つに、ハンズフリー通話機能を実現する制御機能がある。この制御機能は、キー入力部１４２を通じてハンズフリー通話機能が求められると、制御部１６０は、記憶部１５０に記憶されるハンズフリー利得データに基づいて、アンプ１０５，１０８の利得を制御し、スピーカ１０６からの拡声音量を上げるとともに、マイクロホン１０７の感度を上げ、これによりユーザは移動無線端末装置を手に持たなくても、通話が可能となる。
また制御部１６０は、カーキット２００の着脱に応じて、ハンズフリー設定データを参照し、アンプ１０５，１０８の利得を制御する機能を備える。
【００４２】
次に、カーキット２００について説明する。カーキット２００は、自動車などに搭載されるオプション装置であって、マイクロホン２０１とスピーカ２０６を備え、移動無線端末装置のスピーカ１０６とマイクロホン１０７に代わって、音声の入出力を行うためのものである。
【００４３】
また、この図では説明を簡明にするために省略するが、カーキット２００は、自動車から取得した電力を移動無線端末装置に供給したり、外部アンテナを移動無線端末装置に接続する機能を備える。
【００４４】
マイクロホン２０１は、ユーザの送話音声を入力するものである。これより入力された送話音声信号は、アンプ２０２にて増幅された後、バンドパスフィルタ２０３に入力される。
【００４５】
バンドパスフィルタ２０３は、上記マイクロホン２０１などの特性を考慮したフィルタ特性を有するものであって、マイクロホン２０１を通じて入力された送話音声信号に所定の帯域制限を施し、エコーキャンセル回路２０４に出力する。
【００４６】
エコーキャンセル回路２０４は、カーキット２００のスピーカ（図示しない）からの拡声音声に起因するエコー成分を除去するエコーキャンセラである。ここで、エコー成分を除去された送話音声信号は、外部インターフェイス１２０を通じて、切換スイッチ１１０ｂの第２の入力端子に出力される。
【００４７】
アンプ２０５は、外部インターフェイス１２０を通じて入力されるアナログ音声信号を増幅し、スピーカ２０６より拡声出力する。
【００４８】
次に、上記構成の移動無線端末装置の動作について説明する。なお、以下の説明では、ハンズフリー通話の設定／解除とカーキット２００を着脱する場合の動作について説明する。図２は、この動作を説明するためのフローチャートである。この図に示す制御は、制御部１６０によってなされ、電源が投入されると開始され、電源が切れるまで繰り返し行われる。
【００４９】
まず、ステップ２ａにおいて制御部１６０は、キー入力部１４２を通じてユーザからハンズフリー通話機能を設定する要求がなされたか否かを判定する。
ここで、ハンズフリー通話機能を設定する要求がなされた場合には、ステップ２ｂに移行し、一方、上記要求がなされない場合には、ステップ２ｃに移行する。
【００５０】
ステップ２ｂにおいて制御部１６０は、記憶部１５０に記憶されるハンズフリー設定データに、ハンズフリー通話機能が設定されていることを示す情報を記録する。
【００５１】
そして、制御部１６０は、記憶部１５０に記憶されるハンズフリー利得データに基づいて、アンプ１０５，１０８の利得を制御し、スピーカ１０６からの拡声音量を上げるとともに、マイクロホン１０７の感度を上げ、ステップ２ｃに移行する。これによりユーザは移動無線端末装置を手に持たなくても、通話が可能となる。
【００５２】
ステップ２ｃにおいて制御部１６０は、キー入力部１４２を通じてユーザからハンズフリー通話機能の設定を解除する要求がなされたか否かを判定する。
ここで、ハンズフリー通話機能の設定を解除する要求がなされた場合には、ステップ２ｄに移行し、一方、上記要求がなされない場合には、再びステップ２ｅに移行する。
【００５３】
ステップ２ｄにおいて制御部１６０は、記憶部１５０に記憶されるハンズフリー設定データに、ハンズフリー通話機能が設定されていないことを示す情報を記録する。
【００５４】
そして、制御部１６０は、記憶部１５０に記憶される音量設定データに基づいて、アンプ１０５の利得を制御するとともに、記憶部１５０に記憶されるマイク感度データに基づいて、アンプ１０８の利得を制御し、ステップ２ｅに移行する。
【００５５】
これにより、スピーカ１０６の音量とマイクロホン１０７の感度は、通常の状態に設定されるので、ユーザは移動無線端末装置を手に持って通話を行うことになる。
【００５６】
ステップ２ｅにおいて制御部１６０は、検出器１２１から通知される情報に基づいて、カーキット２００が接続されているか否かを判定する。
ここで、カーキット２００が接続されていると判定した場合には、ステップ２ｆに移行し、一方、接続されていないと判定した場合には、再びステップ２ａに移行する。
【００５７】
ステップ２ｆにおいて制御部１６０は、切換スイッチ１１０ａ，１１０ｂを切り換え制御し、これにより、Ｄ／Ａコンバータ１０４をアンプ２０５に接続するとともに、エコーキャンセル回路２０４をＡ／Ｄコンバータ１１１に接続する。そして、制御部１６０は、アンプ１０５，１０８の利得を予め設定した低い利得に設定し、ステップ２ｇに移行する。
【００５８】
ステップ２ｇにおいて制御部１６０は、検出器１２１から通知される情報に基づいて、カーキット２００が取り外されたか否かを判定する。
ここで、カーキット２００が取り外されたと判定した場合には、ステップ２ｈに移行し、一方、取り外されていないと判定した場合には、再びステップ２ｇに移行する。
【００５９】
ステップ２ｈにおいて制御部１６０は、記憶部１５０に記憶されるハンズフリー設定データを参照し、カーキット２００が接続される前に、ハンズフリー通話機能が設定されていたか否か判定する。
【００６０】
ここで、ハンズフリー通話機能が設定されていたと判定した場合には、ステップ２ｉに移行し、一方、設定されていなかった（解除されていた）と判定した場合には、ステップ２ｊに移行する。
【００６１】
ステップ２ｉにおいて制御部１６０は、切換スイッチ１１０ａ，１１０ｂを切り換え制御し、これにより、Ｄ／Ａコンバータ１０４をアンプ１０５に接続するとともに、バンドパスフィルタ１０９をＡ／Ｄコンバータ１１１に接続する。
【００６２】
そして、制御部１６０は、記憶部１５０に記憶されるハンズフリー利得データに基づいて、アンプ１０５，１０８の利得を制御し、ステップ２ａに移行する。これによりユーザは移動無線端末装置を手に持たなくても、通話が可能となる。
【００６３】
一方、ステップ２ｊにおいて制御部１６０は、切換スイッチ１１０ａ，１１０ｂを切り換え制御し、これにより、Ｄ／Ａコンバータ１０４をアンプ１０５に接続するとともに、バンドパスフィルタ１０９をＡ／Ｄコンバータ１１１に接続する。
【００６４】
そして、制御部１６０は、記憶部１５０に記憶される音量設定データに基づいて、アンプ１０５の利得を制御するとともに、記憶部１５０に記憶されるマイク感度データに基づいて、アンプ１０８の利得を制御し、ステップ２ａに移行する。
【００６５】
これにより、スピーカ１０６の音量とマイクロホン１０７の感度は、通常の状態に設定されるので、ユーザは移動無線端末装置を手に持って通話を行うことになる。
【００６６】
以上のように、上記構成の移動無線端末装置では、カーキット２００が接続される前にハンズフリー通話機能が設定されていたか否かを示すハンズフリー設定データを保存しておき、カーキット２００が取り外された場合には、上記ハンズフリー設定データに基づいて、カーキット２００が接続される前の運用状態に戻すようにしている。
【００６７】
したがって、上記構成の移動無線端末装置によれば、ハンズフリー通話機能が設定されていた状態でカーキット２００が接続され、後にカーキット２００が取り外されても、ハンズフリー通話機能が設定された状態となるので、ユーザは改めてハンズフリー通話機能を設定する必要がなく、使い勝手がよい。
【００６８】
また、ハンズフリー通話機能が設定されていない状態でカーキット２００が接続され、後にカーキット２００が取り外された場合には、ハンズフリー通話機能が設定されていない状態となるので、ユーザはハンズフリー通話機能を解除する設定を行う必要がなく、使い勝手がよい。
【００６９】
尚、この発明は上記実施の形態に限定されるものではない。
上記実施の形態では、カーキット２００を例に挙げて説明したが、これに変わって例えば、イヤホンマイクなどを着脱する場合にも適用することができ、この場合にも、同様の効果が得られる。
その他、この発明の要旨を逸脱しない範囲で種々の変形を施しても同様に実施可能であることはいうまでもない。
【００７０】
【発明の効果】
以上述べたように、この発明では、検出手段の検出結果が、外部機器が接続された状態にあることを示すものから取り外された状態を示すものに変化した場合に、第２の記憶手段が記憶する指示に対応する利得情報を第１の記憶手段から読み出し、この読み出した利得情報に基づいて第１の増幅手段と第２の増幅手段の利得を制御するようにしている。
【００７１】
すなわち、この発明では、外部機器が取り外された場合に、外部機器が接続される前に設定されていた利得情報に基づいて、第１の増幅手段と第２の増幅手段の利得が制御するようにしている。
【００７２】
したがって、この発明によれば、音声の入出力機能を備えたオプション装置を着脱した場合でも、ユーザが改めて音声の入出力レベルを設定し直す必要がなく、使い勝手のよい移動無線端末装置を提供できる。
【図面の簡単な説明】
【図１】この発明に係わる移動無線端末装置の一実施の形態の構成を示す回路ブロック図。
【図２】図１に示した移動無線端末装置の動作を説明するためのフローチャート。
【符号の説明】
１０１…アンテナ
１０２…受信部（ＲＸ）
１０３…音声処理部
１０４…Ｄ／Ａコンバータ（Ｄ／Ａ）
１０５…アンプ
１０６…スピーカ
１０７…マイクロホン
１０８…アンプ
１０９…バンドパスフィルタ
１１０ａ，１１０ｂ…切換スイッチ
１１１…Ａ／Ｄコンバータ（Ａ／Ｄ）
１１２…送信部（ＴＸ）
１２０…外部インターフェイス
１２１…検出器
１３０…着信報知部
１４０…ユーザインターフェイス部
１４１…表示部
１４２…キー入力部
１５０…記憶部
１６０…制御部
２００…ハンズフリーユニット
２０１…マイクロホン
２０２…アンプ
２０３…バンドパスフィルタ
２０４…エコーキャンセル回路
２０５…アンプ
２０６…スピーカ
ＢＳ…基地局装置
【図１】
2004096271.tif 000003
【図２】
2004096271.tif 000004